(57)【要約】【課題】中間調の階調色を直線的に変化させることが可能な横電界方式を用いた液晶表示装置及びこれを備える電子機器を提供すること。【解決手段】サブ画素領域による色表示の制御を行う駆動回路１５を有し、駆動回路１５が、外部から入力される輝度情報の階調に対してγ曲線に基づいて階調補正した画像信号を生成する階調補正回路１８と、画像信号をサブ画素領域に対応する画素電極１１に供給するデータ線駆動回路１６とを備え、一の波長域に対応する画像信号に対するγ曲線のγ値が、一の波長域よりも長い波長域に対応する画像信号に対するγ曲線のγ値以下である。【選択図】図１
2008070734.tif 000002
【特許請求の範囲】
【請求項１】
液晶層を挟持する一対の基板のうち一方の基板の前記液晶層側に一対の電極が設けられ、前記一対の電極間に生じる電界によって前記液晶層を構成する液晶分子を駆動させて平面状に配置された複数のサブ画素領域から波長域の異なる複数の色表示を行う液晶表示装置であって、
前記サブ画素領域による色表示の制御を行う駆動部を有し、
該駆動部が、外部から入力される輝度情報の階調に対してγ曲線に基づいて階調補正した画像信号を生成する階調補正部と、前記画像信号を前記サブ画素領域に対応する前記電極に供給する液晶駆動部とを備え、
一の波長域に対応する前記画像信号を生成する前記γ曲線のγ値が、前記一の波長域よりも長い波長域に対応する前記画像信号を生成する前記γ曲線のγ値以下であることを特徴とする液晶表示装置。
【請求項２】
前記複数のサブ画素領域が、赤、緑及び青の色表示を行うことを特徴とする請求項１に記載の液晶表示装置。
【請求項３】
赤の色表示の波長域に対応する前記画像信号を生成する前記γ値が、２．２以上２．７以下であることを特徴とする請求項２に記載の液晶表示装置。
【請求項４】
緑の色表示の波長域に対応する前記画像信号を生成する前記γ値が、２．２であることを特徴とする請求項２または３に記載の液晶表示装置。
【請求項５】
青の色表示の波長域に対応する前記画像信号を生成する前記γ値が、１．７以上２．２以下であることを特徴とする請求項２から４のいずれか１項に記載の液晶表示装置。
【請求項６】
請求項１から５のいずれか１項に記載の液晶表示装置を備えることを特徴とする電子機器。
【発明の詳細な説明】
【技術分野】
【０００１】
本発明は、横電界駆動方式を用いた液晶表示装置及びこれを備える電子機器に関するものである。
【背景技術】
【０００２】
従来から、液晶表示装置の高視野角化を図る一手段として、液晶層に対して基板方向の電界を発生させて液晶分子の配向制御を行う方式（以下、横電界方式と称する）を用いることが知られており、このような横電界方式としてＩＰＳ（In-Plane Switching）方式やＦＦＳ（Fringe-Field Switching）方式が知られている（例えば、特許文献１参照）。
【０００３】
一般に、このような横電界方式を用いた液晶表示装置では、液晶層を挟持する一対の基板のうちの一方に液晶層を駆動するための一対の電極が設けられている。また、例えば横電界方式を用いた透過型の液晶表示装置では、一対の電極間に電圧を印加して液晶層に横電界を発生させることにより、液晶層を透過する光に対して略１／２波長分の位相差を付与している。そして、ノーマリブラックモードを採用した液晶表示装置では、液晶層で１／２波長分の位相差を付与することにより、液晶層に入射した光の偏光状態を変化させている。したがって、横電界方式を用いた液晶表示装置では、液晶層に入射した光の偏光状態がポアンカレ球における赤道またはその近傍を通るような経路に沿って変化する。
【０００４】
一方、縦電界方式を用いた液晶表示装置では、液晶層を挟持する一対の基板のそれぞれに液晶層を駆動するための電極が設けられている。そして、例えばノーマリホワイトモードを採用したＴＮ（Twisted Nematic）液晶を用いた液晶表示装置では、一対の電極間に電圧を印加しないときに液晶層に入射した光の偏光方向を９０°回転させることにより、液晶層に入射した光の偏光状態を変化させている。したがって、縦電界方式を用いた液晶表示装置では、液晶層に入射した光の偏光状態がポアンカレ球における極点またはその近傍を通るような経路に沿って変化する。なお、横電界方式を用いた液晶表示装置では、各サブ画素領域によって表示される中間調の階調色が直線的に変化するように構成されている。
【特許文献１】特開２００３−３４４８３７号公報
【発明の開示】
【発明が解決しようとする課題】
【０００５】
しかしながら、上記従来の液晶表示装置においても、以下の課題が残されている。すなわち、横電界方式を用いた液晶表示装置と縦電界方式を用いた液晶表示装置とでは、上述したように液晶層に入射した光の偏光状態が変化する経路が大きく異なっている。このため、同じ階調の画像信号が供給されても、サブ画素領域から表示される色の階調が異なることがある。したがって、横電界方式を用いた液晶表示装置では、中間調の階調色を直線的に変化させることができないという問題がある。
【０００６】
本発明は、上記従来の問題に鑑みてなされたもので、中間調の階調色を直線的に変化させることが可能な横電界方式を用いた液晶表示装置及びこれを備える電子機器を提供することを目的とする。
【課題を解決するための手段】
【０００７】
本発明は、前記課題を解決するために以下の構成を採用した。すなわち、本発明にかかる液晶表示装置は、液晶層を挟持する一対の基板のうち一方の基板の前記液晶層側に一対の電極が設けられ、前記一対の電極間に生じる電界によって前記液晶層を構成する液晶分子を駆動させて平面状に配置された複数のサブ画素領域から波長域の異なる複数の色表示を行う液晶表示装置であって、前記サブ画素領域による色表示の制御を行う駆動部を有し、該駆動部が、外部から入力される輝度情報の階調に対してγ曲線に基づいて階調補正した画像信号を生成する階調補正部と、前記画像信号を前記サブ画素領域に対応する前記電極に供給する液晶駆動部とを備え、一の波長域に対応する前記画像信号を生成する前記γ曲線のγ値が、前記一の波長域よりも長い波長域に対応する前記画像信号を生成する前記γ曲線のγ値以下であることを特徴とする。
【０００８】
この発明では、表示する色の波長域が長くなるほど階調補正するγ曲線のγ値を少なくとも小さくならないように設定することで、複数の色表示によって行われる中間調の階調色を直線的に変化させることができる。
すなわち、横電界方式と縦電界方式とでは液晶層に入射した光の偏光状態の変化の経路が異なるが、長い波長域に対応するγ値を短い波長域に対応するγ値以上となるように各γ値を設定することで、中間調の階調変化を縦電界方式における中間調の階調変化に合わせることが可能となる。これにより、横電界方式を用いた液晶表示装置における中間調の色表示を、縦電界方式を用いた液晶表示装置における中間調の色表示にそろえることができる。
したがって、縦電界方式を用いた液晶表示装置における色表示との差を低減することで、縦電界方式を用いた液晶表示装置との間の色表示の違いによる視認の違和感を緩和できる。
【０００９】
また、本発明の液晶表示装置は、前記複数のサブ画素領域が、赤、緑及び青の色表示を行うこととしてもよい。
この発明では、赤の色表示を行うサブ画素領域と、緑の色表示を行うサブ画素領域と、青の色表示を行うサブ画素領域とを組み合わせることにより、カラー表示を行う。このとき、γ値は、青の色表示に対応する画像信号、緑の色表示に対応する画像信号、赤の色表示に対応する画像信号の順で少なくとも小さくならないように設定される。
【００１０】
また、本発明の液晶表示装置は、赤の色表示の波長域に対応する前記画像信号を生成する前記γ値が、２．２以上２．７以下であることが好ましい。
この発明では、γ値を２．２以上２．７以下とすることで、中間調の階調色の変化をより確実に直線的とすることができる。
ここで、赤の色表示の波長域に対応するγ値は、２．４であることがより好ましい。これにより、中間調の階調色の変化を、さらに確実に直線的にすることができる。
【００１１】
また、本発明の液晶表示装置は、緑の色表示の波長域に対応する前記画像信号を生成する前記γ値が、２．２であることが好ましい。
この発明では、γ値を２．２とすることで、上述と同様に、中間調の階調色の変化をより確実に直線的とすることができる。
【００１２】
また、本発明の液晶表示装置は、青の色表示の波長域に対応する前記画像信号を生成する前記γ値が、１．７以上２．２以下であることが好ましい。
この発明では、γ値を１．７以上２．２以下とすることで、上述と同様に、中間調の階調色の変化をより確実に直線的とすることができる。
ここで、青の色表示の波長域に対応するγ値は、２．０であることがより好ましい。これにより、中間調の階調色の変化を、さらに確実に直線的にすることができる。
【００１３】
また、本発明の電子機器は、上記記載の液晶表示装置を備えることを特徴とする。
この発明では、上述したように、中間調の階調変化を直線的にすることで、中間調の色表示が縦電界方式を用いた液晶表示装置における中間調の色表示と同等になる。
【発明を実施するための最良の形態】
【００１４】
以下、本発明における液晶表示装置の一実施形態を、図面に基づいて説明する。なお、以下の説明に用いる各図面では、各部材を認識可能な大きさとするために縮尺を適宜変更している。ここで、図１は液晶表示装置の等価回路図、図２は補正前の階調と補正後の階調との関係を示すグラフ、図３は液晶表示装置のサブ画素領域を示す部分拡大平面構成図、図４は図３のＡ−Ａ’矢視断面図、図５は図３の光学軸配置を示す説明図である。
【００１５】
〔液晶表示装置〕
本実施形態における液晶表示装置１は、ＦＦＳ方式を用いたカラー液晶表示装置であって、Ｒ（赤）、Ｇ（緑）、Ｂ（青）の各色光を出力する３個のサブ画素領域で１個の画素を構成する液晶表示装置である。ここで、表示を構成する最小単位となる表示領域を「サブ画素領域」、一組（Ｒ、Ｇ、Ｂ）のサブ画素領域から構成される表示領域を「画素領域」と称する。
【００１６】
まず、液晶表示装置１の概略構成について説明する。液晶表示装置１は、図１に示すように、画素表示領域を構成する複数のサブ画素領域がマトリックス状に配置されている。
また、液晶表示装置１の画素表示領域を構成する複数のサブ画素領域には、それぞれ画素電極（第１電極）１１と、画素電極１１をスイッチング制御するためのＴＦＴ（Thin Film Transistor：薄膜トランジスタ）素子１２とが形成されている。このＴＦＴ素子１２は、ソースが液晶表示装置１に設けられた後述するデータ線駆動回路（液晶駆動部）１６から延在するデータ線１３に接続され、ゲートが液晶表示装置１に設けられた後述する走査線駆動回路１７から延在する走査線１４に接続され、ドレインが画素電極１１に接続されている。
【００１７】
そして、液晶表示装置１は、画像信号Ｓ１、Ｓ２、…、Ｓｎ及び走査信号Ｇ１、Ｇ２、…、Ｇｍを各サブ画素領域に供給する駆動回路（駆動部）１５を備えている。この駆動回路１５は、データ線１３を介して各サブ画素領域に接続されたデータ線駆動回路（液晶駆動部）１６と、走査線１４を介して各サブ画素領域に接続された走査線駆動回路１７と、データ線駆動回路１６に接続された階調補正回路（階調補正部）１８とを備えている。
【００１８】
データ線駆動回路１６は、データ線１３を介して画像信号Ｓ１、Ｓ２、…、Ｓｎを各サブ画素領域に供給する構成となっている。ここで、データ線駆動回路１６は、画像信号Ｓ１〜Ｓｎをこの順で線順次で供給してもよく、互いに隣接する複数のデータ線１３同士に対してグループごとに供給してもよい。
走査線駆動回路１７は、走査線１４を介して走査信号Ｇ１、Ｇ２、…、Ｇｍを各サブ画素領域に供給する構成となっている。ここで、走査線駆動回路１７は、走査信号Ｇ１〜Ｇｍを所定のタイミングでパルス的に線順次で供給する。
【００１９】
階調補正回路１８は、外部から供給された信号中の輝度情報の階調を補正した輝度情報を有する画像信号を生成してデータ線駆動回路１６に供給する構成となっている。そして、階調補正回路１８は、入力される輝度情報の階調を補正するための対応表が記録されたメモリ（図示略）を有しており、この対応表に基づいた補正を行う。この対応表は、各色表示を行うサブ画素領域でそれぞれ独立して設けられており、入力される輝度情報の階調と補正後の輝度情報の階調とがγ曲線を形成する関係となっている。
ここで、入力される補正前の輝度情報の階調と補正後の輝度情報の階調との関係を、図２に示す。図２に示すように、赤の色表示の波長域に対応する画像信号を生成するγ曲線は、γ値が２．４となっている。また、緑の色表示の波長域に対応する画像信号を生成するγ曲線は、γ値が２．２となっている。そして、青の色表示の波長域に対応する画像信号を生成するγ曲線は、γ値が２．０となっている。すなわち、青の波長域、緑の波長域、赤の波長域の順で、対応するγ曲線のγ値が漸次大きくなっている。
【００２０】
そして、液晶表示装置１は、スイッチング素子であるＴＦＴ素子１２が走査信号Ｇ１〜Ｇｍの入力により一定期間だけオン状態とされることで、データ線１３から供給される画像信号Ｓ１〜Ｓｎが所定のタイミングで画素電極１１に書き込まれる構成となっている。そして、画素電極１１を介して液晶に書き込まれた所定レベルの画像信号Ｓ１〜Ｓｎは、画素電極１１と後述する共通電極４１との間で一定期間保持される。
【００２１】
次に、液晶表示装置１の詳細な構成について、図３及び図４を参照しながら説明する。なお、図３では、対向基板の図示を省略している。また、図４では、画素電極を構成する帯状電極の図示を適宜省略している。
液晶表示装置１は、図４に示すように、素子基板（基板）２１と、素子基板２１と対向配置された対向基板２２と、素子基板２１と対向基板２２との間に挟持された液晶層２３と、素子基板２１の外面側（液晶層２３と反対側）に設けられた偏光板２４と、対向基板２２の外面側に設けられた偏光板２５とを備えている。そして、液晶表示装置１は、素子基板２１の外面側から照明光が照射される構成となっている。
また、液晶表示装置１には、素子基板２１と対向基板２２とが対向する領域の縁端に沿ってシール材（図示略）が設けられており、このシール材、素子基板２１及び対向基板２２によって液晶層２３が封止されている。
【００２２】
素子基板２１は、例えばガラスや石英、プラスチックなどの透光性材料からなる基板本体３１と、基板本体３１の内側（液晶層２３側）の表面に順に積層されたゲート絶縁膜３２、層間絶縁膜３３及び配向膜３４とを備えている。
また、素子基板２１は、基板本体３１の内側の表面に配置された走査線１４、各サブ画素領域に対応して設けられた共通電極４１及び各共通電極４１を接続する共通線２０と、ゲート絶縁膜３２の内側の表面に配置されたデータ線１３（図３に示す）、半導体層４２、ソース電極４３及びドレイン電極４４と、層間絶縁膜３３の内側の表面に配置された画素電極１１とを備えている。
ゲート絶縁膜３２は、窒化シリコンや酸化シリコンなどのような絶縁性を有する透光性材料で構成されており、基板本体３１上に形成された走査線１４、共通線２０及び共通電極４１を覆うように設けられている。
【００２３】
層間絶縁膜３３は、ゲート絶縁膜３２と同様に、窒化シリコンや酸化シリコンなどの絶縁性を有する透光性材料で構成されており、ゲート絶縁膜３２上に形成された半導体層４２、ソース電極４３及びドレイン電極４４を覆うように設けられている。そして、層間絶縁膜３３のうち平面視で画素電極１１の後述する枠部１１ａと重なる部分には、画素電極１１とＴＦＴ素子１２との導通を図るための貫通孔であるコンタクトホール３３ａが形成されている。
配向膜３４は、例えばポリイミドなどの有機材料で構成されており、層間絶縁膜３３上に形成された画素電極１１を覆うように設けられている。そして、配向膜３４の上面には、液晶層２３を構成する液晶分子を配向規制するための配向処理が施されている。この配向膜３４の配向方向は、図５に示す矢印Ｒ１方向のように、Ｘ軸と同方向となっている。
【００２４】
データ線１３は、図３に示すように、Ｙ軸方向に延在しており、走査線１４及び共通線２０は、Ｘ軸方向に延在している。したがって、データ線１３、走査線１４及び共通線２０が平面視でほぼ格子状に配線されている。
半導体層４２は、走査線１４と平面視で重なる領域に部分的に形成されたアモルファスシリコンなどの半導体で構成されている。また、ソース電極４３は、図３に示すように、平面視でほぼ逆Ｌ字状を有する配線であって、データ線１３から分岐して半導体層４２と導通している。そして、ドレイン電極４４は、図３に示す−Ｙ側の端部においてサブ画素領域の端部において、画素電極１１と、層間絶縁膜３３を貫通するコンタクトホール３３ａを介して電気的に接続されている。これら半導体層４２、ソース電極４３及びドレイン電極４４によってＴＦＴ素子１２が構成される。したがって、ＴＦＴ素子１２は、データ線１３及び走査線１４の交差部近傍に設けられている。
【００２５】
共通電極４１は、サブ画素領域に対応して平面視でほぼ矩形状を有しており、画素電極１１（複数の帯状電極１１ｂ及び該複数の帯状電極１１ｂの間）を覆う領域に形成されている。共通線２０は、各サブ画素領域に対応して配置された共通電極４１の端部と平面的に重なって（積層されて）電気的接続されている。
【００２６】
画素電極１１は、平面視でほぼ梯子形状であって、例えばＩＴＯ（酸化インジウムスズ）などの透光性導電材料で構成されており、その膜厚が５０ｎｍ以下となっている。そして、画素電極１１は、平面視で矩形の枠状の枠部１１ａと、ほぼＸ軸方向に延在すると共にＹ軸方向で間隔をあけて複数（１５本）配置された帯状電極１１ｂとを備えている。ここで、帯状電極１１ｂは、その両端がそれぞれ枠部１１ａのうちのＹ軸方向に延在する部分と接続されている。
共通電極４１は、平面視で図３に示すＸ軸方向に延在する帯状であって、画素電極１１と同様に、例えばＩＴＯなどの透光性導電材料で構成されている。そして、共通電極４１は、画素電極１１よりも液晶層２３から離間する側に配置されている。
以上より、画素電極１１と共通電極４１とは、絶縁層を構成するゲート絶縁膜３２及び層間絶縁膜３３を介して配置されている。これにより、画素電極１１と共通電極４１とは、ＦＦＳ方式の電極構造を構成している。
【００２７】
対向基板２２は、図４に示すように、例えばガラスや石英、プラスチックなどの透光性材料で構成され基板本体５１と、基板本体５１の内側（液晶層２３側）の表面に順に積層されたカラーフィルタ層５２及び配向膜５３とを備えている。
カラーフィルタ層５２は、サブ画素領域に対応して配置されており、例えばアクリルなどで構成されて各サブ画素領域で表示する色に対応する色材を含有している。
配向膜５３は、例えばポリイミドなどの有機材料やシリコン酸化物などの無機材料で構成されており、その配向方向が配向膜３４の配向方向と同方向となっている。
【００２８】
偏光板２４、２５は、それぞれの透過軸が互いに直交するように設けられている。すなわち、偏光板２４の透過軸は図５に示す矢印Ｒ２方向のようにＹ軸方向となっており、偏光板２５の透過軸は矢印Ｒ３方向のように偏光板２４の透過軸と直交するＸ軸方向となっている。
【００２９】
〔液晶表示装置の動作〕
続いて、以上のような構成の液晶表示装置１の動作について説明する。
本実施形態における液晶表示装置１は、ＦＦＳ方式を用いた横電界方式の液晶表示装置であり、ＴＦＴ素子１２を介して画素電極１１に画像信号（電圧）を供給することで、画素電極１１と共通電極４１との間に基板面方向の電界を生じさせ、この電界によって液晶を駆動する。そして、液晶表示装置１は、サブ画素領域ごとに透過率を変更させて表示を行う。
すなわち、画素電極１１に電圧を印加しない状態において、液晶層２３を構成する液晶分子は、図５に示す矢印Ｒ１方向に水平配向している。そして、画素電極１１及び共通電極４１を介して画素電極１１を構成する帯状電極１１ｂの延在方向に対して直交する方向に沿う電界を液晶層２３に発生させると、この方向に沿って液晶分子が配向する。
【００３０】
液晶表示装置１において、照明光は、偏光板２４を透過することで偏光板２４の透過軸に沿う直線偏光に変換され、液晶層２３に入射する。
そして、液晶層２３がオフ状態（非選択状態）であれば、液晶層２３に入射した直線偏光は、入射時と同一の偏光状態で液晶層２３から出射する。この直線偏光は、直線偏光と直交する透過軸を有する偏光板２５に吸収されて、サブ画素領域が暗表示となる。
一方、液晶層２３がオン状態（選択状態）であれば、液晶層２３に入射した直線偏光は、液晶層２３により所定の位相差（１／２波長）が付与されて、入射時の偏光方向から９０°回転した直線偏光に変換されて液晶層２３から出射する。この直線偏光は、偏光板２５の透過軸と平行であるため、偏光板２５を透過して表示光として視認され、サブ画素領域が明表示となる。
【００３１】
このとき、液晶表示装置１の外部から駆動回路１５に供給された信号は、その輝度情報が階調補正回路１８に入力される。そして、階調補正回路１８では、メモリに記録された対応表を参照して輝度情報の階調を補正することにより、新たな階調の輝度情報を有する画像信号を生成する。そして、階調補正回路１８は、生成した画像信号をデータ線駆動回路１６に出力する。
ここで、入力された輝度情報の階調を補正しない場合において、液晶表示装置１の各サブ画素領域での画素電極１１及び共通電極４１間の印加電圧と、出力光の輝度との関係を図６に示す。また、縦電界方式を用いた液晶表示装置として、ＶＡ（Virtical Alignment）式の液晶を用いた液晶表示装置の各サブ画素領域での画素電極及び共通電極間の印加電圧と出力光の輝度との関係を図７に示す。なお、図６及び図７では、緑の色表示における輝度の最大値を１としたときの相対的な輝度を示している。図６及び図７に示すように、偏光状態の変化の経路が異なることで、印加電圧と輝度との関係が異なることがわかる。
【００３２】
また、階調補正回路１８によって輝度情報の階調補正を行う場合と階調補正を行わない場合とにおける各サブ画素領域による中間調の階調色の軌跡を示した色度図を図８に示す。
図８に示すように、階調補正回路１８において入力される輝度情報の階調を補正することにより、中間調の階調色が直線的に変化することが確認された。
【００３３】
〔電子機器〕
次に、上述した構成の液晶表示装置１を備える電子機器について説明する。なお、この実施形態は、本発明の一例を示すものであり、本発明がこの実施形態に限定されるものではない。ここで、図９は、本発明の液晶表示装置を備える電子機器である携帯電話機を示す外観斜視図である。
本実施形態における電子機器は、図９に示すような携帯電話機１００であって、本体部１０１と、これに開閉可能に設けられた表示体部１０２とを有する。表示体部１０２の内部には表示装置１０３が配置されており、電話通信に関する各種表示が表示画面１０４において視認可能となっている。また、本体部１０１には操作ボタン１０５が配列されている。
そして、表示体部１０２の一端部には、アンテナ１０６が伸縮自在に取り付けられている。また、表示体部１０２の上部に設けられた受話部１０７の内部には、スピーカ（図示略）が内蔵されている。さらに、本体部１０１の下端部に設けられた送話部１０８の内部には、マイク（図示略）が内蔵されている。
ここで、表示装置１０３には、図１に示す液晶表示装置１が用いられている。
【００３４】
以上のように、本実施形態における液晶表示装置１及びこれを備える携帯電話機１００によれば、また、赤の色表示の波長域に対応する画像信号を生成するためのγ値を２．２以上２．７以下である２．４とし、緑の色表示の波長域に対応する画像信号を生成するためのγ値を２．２とし、青の色表示の波長域に対応する画像信号を生成するためのγ値を１．７以上２．２以下である２．０として、表示する色の波長域が長くなるほどγ値を小さくすることで、各サブ画素領域によって表示される中間調の階調色を直線的に変化させることができる。これにより、液晶表示装置１における中間調の色表示を、縦電界方式を用いた液晶表示装置における中間調の色表示にそろえることができる。したがって、縦電界方式を用いた液晶表示装置における色表示と同等にすることで、縦電界方式を用いた液晶表示装置との間の色表示の違いによる視認の違和感が緩和する。
【００３５】
なお、本発明は上記実施形態に限定されるものではなく、本発明の趣旨を逸脱しない範囲において種々の変更を加えることが可能である。
例えば、上記実施形態では、赤の色表示の波長域に対応する画像信号を生成するためのγ値を２．４としているが、２．２以上２．７以下であればよく、他の色表示の波長域に対応する画像信号を生成するためのγ値を考慮して中間調の変化を直線的にすることができれば、他の値であってもよい。同様に、緑の色表示の波長域に対応する画像信号を生成するためのγ値を２．２としているが、他の色表示の波長域に対応する画像信号を生成するためのγ値を考慮して中間調の変化が直線的にすることができれば、他の値であってもよい。そして、青の色表示の波長域に対応する画像信号を生成するためのγ値を２．０としているが、他の色表示の波長域に対応する画像信号を生成するためのγ値を考慮して中間調の変化が直線的にすることができれば、他の値であってもよい。
【００３６】
また、画素電極を層間絶縁膜上に形成して共通電極を基板本体上に形成しているが、絶縁層を介して画素電極と共通電極とが配置されていればよく、共通電極を層間絶縁膜上に形成して画素電極を基板本体上に形成してもよい。ここで、画素電極と共通電極とのうち液晶層側に配置される一方の形状は、画素電極と共通電極との間で発生した電界が液晶層を経由できる形状であれば、平面視でほぼ櫛歯形状など、他の形状であってもよい。
また、共通電極を走査線及び容量線と共に素子基板上に形成しているが、画素電極と絶縁層を介して配置されていればよく、走査線及び容量線と異なる層上に形成してもよい。
【００３７】
また、液晶表示装置は、ＦＦＳ方式に限らず、例えばＩＰＳ方式など他の横電界方式を利用した液晶表示装置であってもよい。ここで、ＩＰＳ方式を利用した液晶表示装置において、画素電極及び共通電極は、互いに導通する帯状電極をそれぞれ有すると共に平面視でほぼ櫛歯形状となっている。また、画素電極及び共通電極は、それぞれの帯状電極が互いに噛み合うように配置されている。以上のようにして、画素電極と共通電極とがＩＰＳ方式の電極構造を構成する。
【００３８】
また、画素電極をスイッチング制御する駆動素子としてＴＦＴ素子を用いているが、ＴＦＴ素子に限らず、ＴＦＤ（Thin Film Diode：薄膜ダイオード）素子など、他の駆動素子を用いてもよい。
また、液晶表示装置は、ノーマリブラックモードを採用しているが、ノーマリホワイトモードを採用してもよい。
そして、液晶表示装置は、透過型の表示装置としているが、半透過反射型の液晶表示装置や反射型の液晶表示装置であってもよい。
さらに、液晶表示装置は、Ｒ、Ｇ、Ｂの３色の色表示を行うカラー液晶表示装置としているが、Ｒ、Ｇ、Ｂのいずれかまたは他の１色の色表示を行う単色の表示装置や、２色や４色以上の色表示を行う表示装置であってもよい。ここで、対向基板にカラーフィルタ層を設けずに、素子基板にカラーフィルタ層を設けてもよい。
【００３９】
また、電子機器は、液晶表示装置を備えていれば上述した携帯電話機に限らず、電子ブックやパーソナルコンピュータ、デジタルスチルカメラ、液晶テレビ、ビューファインダ型またはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などの画像表示手段であってもよい。
【図面の簡単な説明】
【００４０】
【図１】本発明の一実施形態における液晶表示装置を示す回路構成図である。
【図２】補正前の階調と補正後の階調との関係を示すグラフである。
【図３】液晶表示装置のサブ画素領域を示す平面構成図である。
【図４】図３のＡ−Ａ’矢視断面図である。
【図５】図３の光学軸配置を示す説明図である。
【図６】液晶表示装置における印加電圧と輝度との関係を示すグラフである。
【図７】従来の液晶表示装置における印加電圧と輝度との関係を示すグラフである。
【図８】液晶表示装置のｘｙ色度特性を示す図である。
【図９】本発明の携帯電話機を示す外観斜視図である。
【符号の説明】
【００４１】
１  液晶表示装置、１１  画素電極（電極）、１５  駆動回路（駆動部）、１６  データ線駆動回路（液晶駆動部）、１８  階調補正回路（階調補正部）、２１  素子基板（基板）、２３  液晶層、４１  共通電極（電極）、１００  携帯電話機（電子機器）
【図１】
2008070734.tif 000003
【図２】
2008070734.tif 000004
【図３】
2008070734.tif 000005
【図４】
2008070734.tif 000006
【図５】
2008070734.tif 000007
【図６】
2008070734.tif 000008
【図７】
2008070734.tif 000009
【図８】
2008070734.tif 000010
【図９】
2008070734.tif 000011